(57)【特許請求の範囲】
【請求項１】
画像形成装置本体と載置台の一方に筒部を設けるとともに、他方に、画像形成装置本体に設ける足を載置台上に載せて前記載置台上に前記画像形成装置本体を載置するとき前記筒部に入り込む軸状部材を設け、
その軸状部材には、前記載置台に対して前記画像形成装置本体が傾いたとき、前記筒部の先端が係合する周方向の係止溝を形成し、
１つの軸状部材から最も遠い足の足端を中心として前記画像形成装置本体が傾いたとき、前記筒部の先端が当該軸状部材の前記係止溝に係合する緩さで、当該軸状部材を前記筒部内に入れてなる、画像形成装置。
【請求項２】
前記画像形成装置本体の底板と前記載置台の上ステーの一方に前記筒部を、他方に前記軸状部材を設けてなる、請求項１に記載の画像形成装置。
【請求項３】
前記係止溝を軸方向に複数形成してなる、請求項１に記載の画像形成装置。
【請求項４】
画像形成装置本体と載置台の一方に筒部を設けるとともに、他方に、画像形成装置本体に設ける足を載置台上に載せて前記載置台上に前記画像形成装置本体を載置するとき前記筒部に入り込む軸状部材を設け、
その軸状部材には、前記載置台に対して前記画像形成装置本体が傾いたとき、前記筒部の先端が係合する周方向の係止溝を形成し、
１つの軸状部材から最も遠い足端を中心として前記画像形成装置本体が傾いたとき、前記筒部の先端が当該軸状部材の前記係止溝に係合する緩さで、当該軸状部材を前記筒部内に入れてなる、載置台上への画像形成装置本体載置構造。
【請求項５】
画像形成装置本体に設ける足を載置台上に載せて載置台上に画像形成装置本体を載置するとき、一方に設ける軸状部材を、他方に設ける筒部に挿入し、
前記載置台に対して前記画像形成装置本体が傾いたとき、前記筒部の先端が前記軸状部材の周方向の係止溝に係合し得るようにするとともに、
１つの軸状部材から最も遠い足端を中心として前記画像形成装置本体が傾いたとき、前記筒部の先端が、当該軸状部材に形成した周方向の係止溝に係合する緩さで、当該軸状部材を前記筒部内に入れてなる、載置台上への画像形成装置本体載置方法。
【発明の詳細な説明】
【０００１】
【発明の属する技術分野】
この発明は、複写機・プリンタ・ファクシミリ、またはそれらの複合機などの画像形成装置に適用することができる。詳しくは、そのような画像形成装置の中で、給紙バンク・テーブル等の載置台上に画像形成装置本体を載置して設置するタイプの画像形成装置に関する。ならびに、そのような画像形成装置における、載置台上への画像形成装置本体載置構造および載置方法に関する。
【０００２】
【従来の技術】
複写機等の画像形成装置には、通常、オプション装置として、給紙バンク・テーブル等の載置台を備える。そして、ユーザーの希望により、そのような載置台上に、シートに画像を記録する、複写機装置本体等の画像形成装置本体を載置して設置する。
【０００３】
ところで、このように載置台を増設するときは、従来、載置台上に画像形成装置本体を載置して後、ねじ等の締結部材で締結して画像形成装置本体を載置台と一体化するのが一般的である。
【０００４】
【発明が解決しようとする課題】
しかし、従来、そのような増設をユーザーが行うとき、締結部材による締結を忘れたり怠ったりすることが時々あった。このような場合、比較的小さな外力でも、載置台と分離して画像形成装置本体のみが傾き、載置台上から落下するおそれがあった。
【０００５】
そこで、この発明の第１の目的は、画像形成装置において、画像形成装置本体を載置台上に載置して使用するとき、締結部材による締結を行わなくても、外力により画像形成装置本体が傾いて載置台上から落下するおそれを少なくすることにある。
【０００６】
第２の目的は、そのような画像形成装置において、画像形成装置本体を載置台上に載置するとき、互いに係合する部材を強固に支持して載置台上からの画像形成装置本体の落下を確実に防止することにある。
【０００７】
第３の目的は、互いに係合する部材を係止して、載置台上からの画像形成装置本体の落下を確実に防止することにある。
【０００８】
第４の目的は、互いに係合する部材を一層確かに係止し、外れることなく掛け止めして、載置台上からの画像形成装置本体の落下をさらに確実に防止することにある。
【０００９】
第５の目的は、画像形成装置本体を載置台上に載置して使用するとき、締結部材による締結を行わなくても、外力により画像形成装置本体が傾いて載置台上から落下するおそれを少なくする、載置台上への画像形成装置本体載置構造を提供することにある。
【００１０】
第６の目的は、画像形成装置本体を載置台上に載置して使用するとき、締結部材による締結を行わなくても、外力により画像形成装置本体が傾いて載置台上から落下するおそれを少なくする、載置台上への画像形成装置本体載置方法を提供することにある。
【００１１】
【課題を解決するための手段】
そのため、請求項１に係る発明は、上記第１、３の目的を達成すべく、画像形成装置本体と載置台の一方に筒部を設けるとともに、他方に、載置台上に画像形成装置本体を載置するとき筒部に入り込む軸状部材を設け、
その軸状部材には周方向の係止溝を形成し、
１つの軸状部材から最も遠い足端を中心として前記画像形成装置本体が傾いたとき、前記筒部の先端が当該軸状部材の前記係止溝に係合する緩さで、当該軸状部材を前記筒部内に入れてなる、ことを特徴とする画像形成装置を提供する。
【００１２】
請求項２に係る発明は、上記第２の目的を達成すべく、請求項１に記載の画像形成装置において、画像形成装置本体の底板と載置台の上ステーの一方に筒部を、他方に軸状部材を設けてなる、ことを特徴とする。
【００１４】
請求項３に係る発明は、上記第４の目的を達成すべく、請求項１に記載の画像形成装置において、係止溝を軸方向に複数形成してなる、ことを特徴とする。
【００１５】
請求項４に係る発明は、上記第５の目的を達成すべく、画像形成装置本体と載置台の一方に筒部を設けるとともに、他方に、載置台上に画像形成装置本体を載置するとき筒部に入り込む軸状部材を設け、
その軸状部材には周方向の係止溝を形成し、
１つの軸状部材から最も遠い足端を中心として前記画像形成装置本体が傾いたとき、前記筒部の先端が当該軸状部材の前記係止溝に係合する緩さで、当該軸状部材を前記筒部内に入れてなる、ことを特徴とする載置台上への画像形成装置本体載置構造を提供する。
【００１６】
請求項５に係る発明は、上記第６の目的を達成すべく、載置台上に画像形成装置本体を載置するとき、一方に設ける軸状部材を、他方に設ける筒部に挿入し、
１つの軸状部材から最も遠い足端を中心として前記画像形成装置本体が傾いたとき、前記筒部の先端が、当該軸状部材に形成した周方向の係止溝に係合する緩さで、当該軸状部材を前記筒部内に入れてなる、ことを特徴とする載置台上への画像形成装置本体載置方法を提供する。
【００１７】
【発明の実施の形態】
以下、図面を参照しつつ、この発明の実施の形態につき説明する。
図１には、この発明による複写機（画像形成装置）の外観を概略的に示す。図中符号１０は、給紙バンク（載置台）２０の上に載置する複写機装置本体（画像形成装置本体）である。
【００１８】
複写機装置本体１０は、剛性を保持すべく、内部に構造体を備える。図示省略するが、構造体は、底板と、その上に立てて対向して備える前後の側板と、それらの側板間を連結する連結部材などからなる。
【００１９】
図２には、複写機装置本体１０の構造体を構成する底板の一部を示す。図示底板１２は、カーリングして外周に縁巻き１３を設ける。これにより、強度を増すとともに、ユーザーが複写機装置本体１０の下から手を差し込んだとき怪我をしないようにする。また、底板１２には、図示省略するが、絞り加工で下向きの突部を複数形成してそこにそれぞれゴム足を取り付けてなる。
【００２０】
さらに、底板１２には、ゴム足取付位置とは異なる位置に複数の孔１４をあける。図２では、そのうちの１の孔１４のみを示すが、図示例では孔１４を３つあけてなる。そして、その孔１４に連通してそれぞれ底板１２上にフランジ付きの円筒部材１５を載せ、不図示の固定ねじでねじ止めして、複写機装置本体１０にそれぞれ上向きの筒部１６を形成する。この筒部１６の内径をＤとする。
【００２１】
一方、給紙バンク２０も、複写機装置本体１０と同様に、剛性を保持すべく、内部に構造体を備える。図３には、給紙バンク２０に備える構造体の概略構成を示す。この図３から判るとおり、構造体は、底板２３と、その上に立てて備える側板２４・２５・２６と、それらの側板間を連結する上ステー２７・２８などからなり、複数の組付けねじ２９を用いて組み付ける。
【００２２】
上ステー２７・２８上には、かしめやねじ止めで取り付けて外径ｄのピン（軸状部材）３０を立てる。このピン３０は、複写機装置本体１０の底板１２に設けた孔１４と対応する位置に設ける。図４には、前上ステー２７に対する１のピン３０の取り付け状態を示す。この図４から判るとおり、ピン３０には、円周方向の係止溝３１を軸方向に２つ設ける。
【００２３】
そして、給紙バンク２０上に複写機装置本体１０を載置するときは、孔１４とピン３０位置を合わせて給紙バンク２０上に真上から複写機装置本体１０を置く。すると、図５に示すように、ピン３０は、孔１４を貫通して円筒部材１５内に緩く入る。そして、複写機装置本体１０の複数のゴム足を上ステー２７・２８上に載せ、詳しくは説明を省略する位置決め手段を適宜係合し、正確に位置決めして設置する。
【００２４】
さて、図示複写機は、この状態で使用するが、例えば図６に示すように、いまこの複写機装置本体１０に外力Ｆが作用し、複写機装置本体１０が角度θ傾いたとする。すると、図７に示すように、底板１２が持ち上がり、円筒部材１５の先端がピン３０に当たってやがてその係止溝３１に係合し、外力Ｆが給紙バンク２０を持ち上げるほどの大きな力でない限りそれ以上の複写機装置本体１０の傾きは阻止される。
【００２５】
ここで、図８に示すように、１のピン３０とそれから最も遠いゴム足３２端との間隔をＸとし、上ステー２７・２８上面から係止溝３１までの高さをｈとすると、
［Ｘ＋（Ｄ／２）］２−ｈ２≦［Ｘ＋（ｄ／２）］２
とすると、ピン３０を係止溝３１に確実に掛け止めることができる。
【００２６】
これを整理すると、
Ｘ２＋ＸＤ＋Ｄ２／４−ｈ２≦Ｘ２＋Ｘｄ＋ｄ２／４
（Ｄ−ｄ）Ｘ＋（Ｄ２−ｄ２）／４≦ｈ２………………▲１▼
となる。
【００２７】
また、
ｄ＜Ｄ………………………………………………▲２▼
である。
【００２８】
よって、Ｄ、ｄ、ｈ、Ｘの関係を、上記▲１▼および▲２▼式のようにすると、ピン３０を係止溝３１に確実に掛け止めることができる。
【００２９】
これにより、複写機装置本体１０を給紙バンク２０上に載置して使用するとき、締結部材による締結を行わなくても、ピン３０を筒部１６に入れてそれらを係合し、外力により複写機装置本体１０が傾いて給紙バンク２０上から落下するおそれを少なくすることができる。
【００３０】
図示複写機によれば、複写機装置本体１０および給紙バンク２０内で筒部１６およびピン３０を、それぞれ剛性の高い底板１２および上ステー２７・２８により強固に支持するから、それら筒部１６とピン３０との係合により複写機装置本体１０の一定以上の傾きを防止して複写機装置本体１０が給紙バンク２０上から落下することを確実に防止することができる。
【００３１】
加えて、図示例では、ピン３０に係止溝３１を形成するから、その係止溝に筒部１６を係止して給紙バンク２０上からの複写機装置本体１０の落下を一層確実に防止することができる。このとき、係止溝３１を軸方向に複数形成しておくと、はじめの係止溝３１で掛け止め損なったときにも、次の係止溝３１で掛け止めすることができることとなり、係止溝３１に筒部１６をより確かに係止することができる。
【００３２】
なお、上述した例では、画像形成装置本体１０側に筒部１６を、給紙バンク２０側に軸状部材であるピン３０を設けた。しかし、軸状部材がゴム足より下方に突出するようなことがなければ、画像形成装置本体１０側に軸状部材を、給紙バンク・テーブル等の載置台側に筒部を設けるようにしてもよい。
【００３３】
【発明の効果】
以上説明したとおり、この発明によれば、画像形成装置本体と載置台の一方に筒部を設けるとともに、他方に、載置台上に画像形成装置本体を載置するとき筒部に入り込む軸状部材を設けるから、画像形成装置本体を載置台上に載置して使用するとき、軸状部材を筒部に入れてそれらを係合し、締結部材による締結を行わなくても、外力により画像形成装置本体が傾いて載置台上から落下するおそれを少なくすることができる。
【００３４】
請求項２に係る発明によれば、画像形成装置本体の底板と載置台の上ステーの一方に筒部を、他方に軸状部材を設けるから、筒部および軸状部材を、それぞれ剛性の高い底板および上ステーにより強固に支持して、それら筒部と軸状部材との係合により画像形成装置本体の一定以上の傾きを防止して画像形成装置本体が載置台上から落下することをしっかりと確実に防止することができる。
【００３５】
請求項１に係る発明によれば、また、軸状部材に係止溝を形成するから、その係止溝に筒部を係止して載置台上からの画像形成装置本体の落下を一層確実に防止することができる。
【００３６】
請求項３に係る発明によれば、係止溝を軸方向に複数形成するから、はじめの係止溝で掛け止め損なったときにも、次の係止溝で掛け止めすることができることとなり、係止溝に筒部をより確かに係止することができる。
【００３７】
請求項４に係る発明によれば、載置台上への画像形成装置本体載置構造において、画像形成装置本体と載置台の一方に筒部を設けるとともに、他方に、載置台上に画像形成装置本体を載置するとき筒部に入り込む軸状部材を設けるから、画像形成装置本体を載置台上に載置して使用するとき、軸状部材を筒部に入れてそれらを係合し、締結部材による締結を行わなくても、外力により画像形成装置本体が傾いて載置台上から落下するおそれを少なくすることができる。また、軸状部材に周方向の係止溝を形成し、１つの軸状部材から最も遠い足端を中心として画像形成装置本体が傾いたとき、筒部の先端が当該軸状部材の係止溝に係合する緩さで、当該軸状部材を筒部内に入れるから、その係止溝に筒部を係止して載置台上からの画像形成装置本体の落下を一層確実に防止することができる。
【００３８】
請求項５に係る発明によれば、載置台上への画像形成装置本体載置方法において、載置台上に画像形成装置本体を載置するとき、一方に設ける軸状部材を、他方に設ける筒部に挿入するから、同様に、画像形成装置本体を載置台上に載置して使用するとき、軸状部材を筒部に入れてそれらを係合し、締結部材による締結を行わなくても、外力により画像形成装置本体が傾いて載置台上から落下するおそれを少なくすることができる。また、１つの軸状部材から最も遠い足端を中心として画像形成装置本体が傾いたとき、筒部の先端が、当該軸状部材に形成した周方向の係止溝に係合する緩さで、当該軸状部材を筒部内に入れるから、その係止溝に筒部を係止して載置台上からの画像形成装置本体の落下を一層確実に防止することができる。
【図面の簡単な説明】
【図１】この発明による複写機の概略外観図である。
【図２】その複写機装置本体の構造体を構成する底板の部分斜視図である。
【図３】その複写機の給紙バンクに備える構造体の概略構成を示す斜視図である。
【図４】前上ステーに対する１のピンの取り付け状態を示す斜視図である。
【図５】筒部とピンとの係合状態を示す断面図である。
【図６】給紙バンク上の複写機装置本体に外力Ｆが作用したときの説明図である。
【図７】複写機装置本体に外力Ｆが作用したとき、ピンの係止溝に筒部が係止したときの状態説明図である。
【図８】そのときの寸法関係を示す図である。
【符号の説明】
１０    複写機装置本体（画像形成装置本体）
１２    底板
１４    孔
１５    円筒部材
１６    筒部
２０    給紙バンク（載置台）
２７    前上ステー
２８    後上ステー
３０    ピン（軸状部材）
３１    係止溝
３２    ゴム足
【図１】
0004442850.tif 000002
【図２】
0004442850.tif 000003
【図３】
0004442850.tif 000004
【図４】
0004442850.tif 000005
【図５】
0004442850.tif 000006
【図６】
0004442850.tif 000007
【図７】
0004442850.tif 000008
【図８】
0004442850.tif 000009